(57)【特許請求の範囲】
【請求項１】
バーナと、バーナの燃焼面の周囲に締結される一端の接合フランジを有する燃焼筐と、燃焼筐内に配置した給湯用の熱交換器とを備える給湯用熱源機であって、燃焼筐の一側の側板のバーナ寄りの部分に、当該側板に形成した透孔を通して燃焼筐内に突出する電極と、電極を挿通固定した碍子とを備える電極部品が装着され、碍子は、一側の側板の透孔の周囲の部分の外面に重なるフランジ部を有し、このフランジ部の外面に重なる押え板を側板に締結することで電極部品が側板に装着されるものにおいて、
一側の側板の接合フランジから所定距離離隔した部分の内側に、熱交換器に水を供給する水管が一側の側板に接するように配置され、接合フランジと水管との間の側板部分は、接合フランジからのびて水管の外側部分に接する接線に沿うように形成され、この側板部分に電極部品が装着されることを特徴とする給湯用熱源機。
【請求項２】
前記接合フランジと前記水管との間の前記側板部分は、前記燃焼筐の高さ方向である上下方向に対し外側に傾斜していることを特徴とする請求項１記載の給湯用熱源機。
【発明の詳細な説明】
【技術分野】
【０００１】
本発明は、バーナと、バーナの燃焼面の周囲に締結される一端の接合フランジを有する燃焼筐と、燃焼筐内に配置した給湯用の熱交換器とを備える給湯用熱源機に関する。
【背景技術】
【０００２】
従来、この種の熱源機として、特許文献１により、燃焼筐の一側の側板のバーナ寄りの部分に、当該側板に形成した透孔を通して燃焼筐内に突出する点火電極やフレームロッド等の電極と、電極を挿通固定した碍子とを有する電極部品を装着したものが知られている。また、このものでは、燃焼筐の側板の過熱を防止するため、側板の外側に当該側板の外面に接するように給湯用熱交換器に水を供給する上下複数の水管を配置し、これら水管により側板を冷却している。そして、特許文献１に記載のものでは、一側の側板に、上下の水管の配置ピッチ部分において電極部品を装着しているが、一側の側板の接合フランジから所定距離離隔した部分の外側に水管を配置し、接合フランジと水管との間の側板部分に電極部品を装着することも考えられる。
【０００３】
ところで、電極部品の碍子は、一側の側板に形成した電極が挿通される透孔の周囲の側板部分の外面に重なるフランジ部を有し、このフランジ部の外面に重なる押え板を側板に締結することで電極部品が側板に装着される。ここで、押え板の上下幅は、フランジ部を全面に亘って押え付けるために比較的大きくする必要がある。そして、側板の外側に水管を配置した場合、接合フランジと水管との間の側板部分に電極部品を装着するには、水管の接合フランジに最も近い断面部分と接合フランジとの間の距離を押え板の上下幅以上にして、押え板が水管に干渉しないようにすることが必要になる。このように水管と接合フランジとの間の距離が大きくなるため、接合フランジと水管との間の側板部分の冷却が不足して、この側板部分及び碍子の過熱を生じやすくなってしまう。
【先行技術文献】
【特許文献】
【０００４】
【特許文献１】欧州特許出願公開第２８１１１４１号明細書
【発明の概要】
【発明が解決しようとする課題】
【０００５】
本発明は、以上の点に鑑み、燃焼筐の一側の側板の電極部品を装着する部分である接合フランジと水管との間の部分及び碍子の過熱を防止できるようにした給湯用熱源機を提供することをその課題としている。
【課題を解決するための手段】
【０００６】
上記課題を解決するために、本発明は、バーナと、バーナの燃焼面の周囲に締結される一端の接合フランジを有する燃焼筐と、燃焼筐内に配置した給湯用の熱交換器とを備える給湯用熱源機であって、燃焼筐の一側の側板のバーナ寄りの部分に、当該側板に形成した透孔を通して燃焼筐内に突出する電極と、電極を挿通固定した碍子とを備える電極部品が装着され、碍子は、一側の側板の透孔の周囲の部分の外面に重なるフランジ部を有し、このフランジ部の外面に重なる押え板を側板に締結することで電極部品が側板に装着されるものにおいて、一側の側板の接合フランジから所定距離離隔した部分の内側に、熱交換器に水を供給する水管が一側の側板に接するように配置され、接合フランジと水管との間の側板部分は、接合フランジからのびて水管の外側部分に接する接線に沿うように形成され、この側板部分に電極部品が装着されることを特徴とする。
【０００７】
本発明によれば、接合フランジと水管との間の側板部分が沿う接線の水管に対する接点と接合フランジとの間の距離が水管の接合フランジに最も近い断面部分と接合フランジとの間の距離よりもほぼ水管の半径分だけ大きくなる。従って、水管の接合フランジに最も近い断面部分と接合フランジ部との間の距離が押え板の上下幅より小さくても、上記接点と接合フランジとの間の距離が押え板の上下幅以上であれば、接合フランジと水管との間の側板部分に電極部品を装着できる。その結果、水管と接合フランジとの間の距離を短縮して、接合フランジと水管との間の側板部分及び碍子の過熱を効果的に防止することができる。
【０００８】
また、本発明においては、接合フランジと水管との間の側板部分が燃焼筐の高さ方向である上下方向に対し外側に傾斜していることが望ましい。これによれば、接合フランジと水管との間の側板部分及び碍子がバーナの燃焼面から外側に離れることになり、これら側板部分及び碍子に対するバーナからの入熱量が減少して、側板部分及び碍子の過熱をより効果的に防止できる。
【図面の簡単な説明】
【０００９】
【図１】本発明の実施形態の給湯用熱源機を示す斜視図。
【図２】図１のＩＩ−ＩＩ線で切断した断面図。
【図３】図２のＩＩＩ−ＩＩＩ線で切断した断面図。
【図４】実施形態の給湯用熱源機の要部の分解状態の斜視図。
【発明を実施するための形態】
【００１０】
図１、図２を参照して、本発明の実施形態の給湯用熱源機は、燃焼面１ａを下方に向けた下向き姿勢のバーナ１と、燃焼面１ａの周囲に締結される上端の接合フランジ２１を有する燃焼筐２と、燃焼筐２内に配置した給湯用の熱交換器３とを備えている。尚、燃焼筐２の下側には図示省略した潜熱回収型の副熱交換器が配置される。
【００１１】
バーナ１は、下面を開放面とするバーナボディ１１と、バーナボディ１１の下面に装着した燃焼面１ａを構成する燃焼板１２とで構成される。バーナボディ１１には、図外の混合気供給ダクトが接続される流入口１１ａが開設されている。また、燃焼板１２には多数の炎孔１２ａが形成され、流入口１１ａからバーナボディ１１内に流入する混合気がこれら炎孔１２ａから噴出して全一次燃焼する。
【００１２】
熱交換器３は、多数のフィン３１とこれらフィン３１を貫通する複数の吸熱管３２とを備えるフィンチューブ型熱交換器で構成されている。燃焼筐２の横方向両側の側板２２の外面には、隣り合う２本の吸熱管３２，３２の接続路を側板２２との間に画成する接続蓋３３が複数取付けられており、全ての吸熱パイプ３２が直列に接続される。また、下流端の吸熱パイプ３２に接続される接続路を側板２２との間に画成する接続蓋３３には出湯口３４が設けられている。
【００１３】
燃焼筐２の前側の側板２３と後側の側板２４の熱交換器３より上方の部分の内側には、各側板２３，２４の過熱を防止するために、夫々上下２本の水管４，４が各側板２３，２４に接するように配置されている。また、燃焼筐２の横方向片側の側板２２の外面には、後側の上下２本の水管４，４の接続路を側板２２との間に画成する流入側ヘッダ蓋４１と、前側の上下２本の水管４，４と熱交換器３の上流端の吸熱管３２との接続路を側板２２との間に画成する流出側ヘッダ蓋４２とを取付け、流入側ヘッダ蓋４１に入水口４３を設けている。更に、燃焼筐２の横方向反対側の側板２２の外面には、図３に示す如く、後側の水管４と前側の水管４との接続路を側板２２との間に画成する接続蓋４４が取付けられている。そして、副熱交換器を通過した水が入水口４３から流入側ヘッダ蓋４１内の接続路と後側の水管４と接続蓋４４内の接続路と前側の水管４と流出側ヘッダ蓋４２内の接続路とを介して熱交換器３に供給され、熱交換器３で加熱された温水が出湯口３４から出湯されるようにしている。
【００１４】
また、図４も参照して、燃焼筐２の前側の側板２３のバーナ１寄りの部分である接合フランジ２１と上側の水管４との間の側板部分２３ａには、これに形成した透孔２３ｂを通して燃焼筐２内に突出する点火電極５１、接地電極５２及びフレームロッド５３から成る電極と、これら電極５１，５２，５３を挿通固定した碍子５４とを備える電極部品５が装着されている。碍子５４は、側板２３の透孔２３ｂの周囲の部分の外面にパッキン５５を介して重なるフランジ部５４ａを有している。そして、フランジ部５４ａの外面に重なる押え板５６を設け、この押え板５６を側板２３に締結することで電極部品５を側板２３に装着している。また、押え板５６は、碍子５４に重なる部分から横方向片側に張出す延出部５６ａを有しており、この延出部５６ａに、側板２３に形成した上記透孔２３ｂとは別の透孔２３ｃを介して燃焼筐２内を目視するための覗き窓５６ｂが設けられている。
【００１５】
ところで、パッキン５５、フランジ部５４ａ及び押え板５６の上下幅は、透孔２３ｂの上下幅よりも大きくする必要がある。特に、本実施形態では、押え板５６が覗き窓５６ｂを設ける延出部５６ａを有するため、押え板５６の上縁から延出部５６ａの下縁までの上下幅がかなり大きくなる。そして、前側の側板２３が、後側の側板２４の如く上側の水管４の外側約半周に亘って接するように形成されている場合、接合フランジ２１と上側の水管４との間の側板２３の部分に電極部品５を装着するには、当該部分に少なくとも押え板５６に等しい上下幅の平面を確保できるように、水管４の接合フランジ２１に最も近い断面部分である最上部と接合フランジ２１との間の距離を押え板５６の上下幅以上にする必要がある。このように水管４と接合フランジ２１との間の距離が大きくなると、接合フランジ２１と水管４との間の側板２３の部分の冷却が不足して、この側板部分及び碍子５４の過熱を生じやすくなってしまう。
【００１６】
そこで、本実施形態では、前側の側板２３の接合フランジ２１と上側の水管４との間の側板部分２３ａを、接合フランジ２１からのびて水管４の外側部分に接する接線に沿うように形成し、この側板部分２３ａに電極部品５を装着している。
【００１７】
これによれば、接合フランジ２１と水管４との間の側板部分２３ａが沿う接線の水管４に対する接点と接合フランジ２１との間の距離が水管４の接合フランジ２１に最も近い断面部分(水管４の最上部)と接合フランジ２１との間の距離よりもほぼ水管４の半径分だけ大きくなる。そして、水管４の最上部と接合フランジ部２１との間の距離が押え板５６の上下幅より小さくても、上記接点と接合フランジ２１との間の距離が押え板５６の上下幅以上であれば、接合フランジ２１と水管４との間の側板部分２３ａに電極部品５を装着できる。その結果、水管４と接合フランジ２１との間の距離を短縮して、接合フランジ２１と水管４との間の側板部分２３ａ及び碍子５４の過熱を水管４による冷却作用で効果的に防止することができる。
【００１８】
また、本実施形態では、前側の水管４の配置位置を接合フランジ２１の直下位置から外側(前方)にずらし、接合フランジ２１と水管４との間の側板部分２３ａを燃焼筐３の高さ方向である上下方向に対し外側に傾斜させている。これによれば、接合フランジ２１と水管４との間の側板部分２３ａ及び碍子５４が、側板部分２３ａを傾斜させない場合に比し、バーナ１の燃焼面１ａから外側に離れることになる。その結果、これら側板部分２３ａ及び碍子５４に対するバーナ１からの入熱量が減少して、側板部分２３ａ及び碍子５４の過熱をより効果的に防止できる。
【００１９】
以上、本発明の実施形態について図面を参照して説明したが、本発明はこれに限定されない。例えば、上記実施形態ではバーナ１を下向き姿勢で配置しているが、バーナを燃焼面が上方を向く上向き姿勢で配置し、燃焼筐の下端の接合フランジをバーナの燃焼面の周囲に締結するようにした給湯装置にも同様に本発明を適用できる。
【符号の説明】
【００２０】
１…バーナ、１ａ…燃焼面、２…燃焼筐、２１…接合フランジ、２３…前側の側板(一側の側板)、２３ａ…接合フランジと水管との間の側板部分、２３ｂ…透孔、３…熱交換器、４…水管、５…電極部品、５１…点火電極(電極)、５２…接地電極(電極)、５３…フレームロッド(電極)、５４…碍子、５４ａ…フランジ部、５６…押え板。
【図１】
0006616105.tif 000002
【図２】
0006616105.tif 000003
【図３】
0006616105.tif 000004
【図４】
0006616105.tif 000005